(57)【特許請求の範囲】
【請求項１】
対象物の上方より水滴を滴下させる降雨装置であって、
前記対象物に対向して前記対象物の上方に配設される面状の結露部と、
前記結露部の上面から下面に亘って貫通形成された貫通孔と、
前記結露部の下面から下方に向かって垂設された針状の滴下部と、
前記結露部の上方に気液が混合された霧状の流体を噴霧する噴霧装置と、を備えていることを特徴とする降雨装置。
【請求項２】
上部および側部を閉塞する上面および側面を有すると共に、下部が開放された筐体を備え、
前記結露部は、前記筐体の下部に配設されていることを特徴とする請求項１記載の降雨装置。
【請求項３】
前記結露部は、網目状又は格子状に形成されていることを特徴とする請求項１又は２に記載の降雨装置。
【請求項４】
前記滴下部は、前記結露部の網目や格子の節部から垂設されていることを特徴とする請求項１乃至３の内いずれか１に記載の降雨装置。
【請求項５】
前記結露部の温度を調節する温度調節装置を備えていることを特徴とする請求項１乃至４の内いずれか１に記載の降雨装置。
【請求項６】
前記結露部の下部に配設された緩衝部材を備えていることを特徴とする請求項１乃至５の内いずれか１に記載の降雨装置。
【発明の詳細な説明】
【技術分野】
【０００１】
本発明は、人為的に降雨を再現する降雨装置に関するものである。
【背景技術】
【０００２】
対象物の上方より水滴を滴下させ人為的に降雨を再現する降雨装置として、特許文献１に開示される技術が知られている。特許文献１に開示される第１の降雨装置は、浸透性の結露盤と、その結露盤から下方に向かって伸びる複数の端子と、結露盤の上面に水を供給する配水管と、を備えるものである。第１の降雨装置では、配水管から供給された水は、結露盤を浸透して端子から雨滴として滴下される。配水管から結露盤に供給する水の圧力を調整することにより降雨量や雨滴の粒径（降雨粒径）が調整される。
【０００３】
特許文献１に開示される第２の降雨装置は、非浸透性の結露盤と、その結露盤から下方に向かって伸びる複数の端子と、結露盤の下方から結露盤に向かって水と空気との混合流体を噴霧する配水管と、を備えるものである。第２の降雨装置では、結露盤の下面に結露が発生し、その結露した水が端子を伝って端子から雨滴として滴下される。結露盤に向かって噴霧する混合流体の供給量や水と空気との混合比率を調整することにより降雨量が調整される。また、結露盤の温度を調整することにより降雨粒径が調整される。
【先行技術文献】
【特許文献】
【０００４】
【特許文献１】特開平１１−１３８０６７号公報
【発明の概要】
【発明が解決しようとする課題】
【０００５】
しかしながら上記従来の技術においては、以下のような課題を有していた。
（１）特許文献１に開示される第１の降雨装置では、結露盤に供給する水の圧力を調整して降雨量や降雨粒径を調整することはできるものの、連続して降り続く通常の降雨程度の降雨量を再現するには、マイクロポンプレベル程度の低い圧力に調整しなければならなかった。しかし、水の圧力がこれほど低くなると、流量が小さすぎて滴下できなくなる。このように再現できる降雨量が限られていた。
（２）特許文献１に開示される第２の降雨装置は、結露盤の下方から水と空気との混合流体を噴霧し、結露盤の下面に結露を生じさせて雨滴を滴下するものなので、雨滴は、混合流体を噴霧する配水管が位置する方向に落下する。そのため、滴下された雨滴は、対象物に到達するまでに、噴霧された混合流体中の水分を吸収して粒径が大きくなる。その結果、落下開始直後の雨滴と対象物に落ちる雨滴とは、量や粒径が異なってしまう。従って、対象物に対する降雨量や雨滴粒径を精度良く調整することが極めて困難であった。
【０００６】
本発明は上記従来の課題を解決するもので、様々な降雨量を再現できると共に、対象物に対する降雨量や雨滴粒径を精度良く調整できる降雨装置を提供することを目的とする。
【課題を解決するための手段】
【０００７】
上記従来の課題を解決するために本発明の降雨装置は、以下の構成を有している。
請求項１記載の降雨装置は、対象物の上方より水滴を滴下させる降雨装置であって、前記対象物に対向して前記対象物の上方に配設される面状の結露部と、前記結露部の上面から下面に亘って貫通形成された貫通孔と、前記結露部の下面から下方に向かって垂設された針状の滴下部と、前記結露部の上方に気液が混合された霧状の流体が吐出される過飽和室と、前記霧状の流体を噴霧吐出する噴霧装置と、を備えた構成を有している。
この構成により以下のような作用が得られる。
（１）噴霧装置により霧状の流体が結露部の上方に噴霧されると、結露部に結露が生じる。
発生した結露は貫通孔を通って結露部の下面に流下する。結露部の下面に流下した結露水は、結露部の下面から下方に向かって垂設された滴下部を伝って滴下され、雨滴が生ずる。雨滴は結露部の下面から生ずるのに対し、霧状の流体は結露部の上方に噴霧される。
このように、霧状の流体が噴霧される結露部の反対側に雨滴が生じるので、滴下された雨滴が、噴霧された霧状の流体中の水分を吸収することを防止できる。その結果、滴下部に生じる雨滴の量や粒径を調整することで、対象物に対する降雨量や雨滴粒径を調整できる。滴下部に生じる雨滴の量や粒径の調整は、結露部に生じる結露の量を調整することにより達成できるので、対象物に対する降雨量や雨滴粒径を精度良く調整できる。
（２）結露部に生じた結露が滴下部を伝って雨滴が生じ、その雨滴の量（降雨量）は、噴霧する霧状の流体の供給量や気液の混合比率を調整することにより調整される。霧状の流体の供給量や気液の混合比率を調整することで、連続して降り続くしとしと雨から通常の降雨程度乃至豪雨までの様々な降雨量を容易に再現できる。
【０００８】
ここで、結露部としては、合成樹脂製や金属製等の非浸透性の材料で作製された網体やパンチングメタル、格子が好適に用いられる。非浸透性であると、噴霧された霧状の流体が接触して生じる結露を、無駄なく雨滴として得ることができ、降雨量や降雨粒径の調整精度を向上できるからである。
結露部の大きさとしては、対象物の大きさに応じて、例えば０．１ｍｍ〜数ｍｍのものが１乃至複数組合せて用いられる。また、雨滴の大小に合わせて取り換えることもできる。
貫通孔としては、結露部の上面から下面に亘って形成される。貫通孔により結露部や貫通孔に生じた結露が結露部の下面に垂設された滴下部に付着する。
貫通孔の大きさとしては、０．５〜７ｍｍ、好ましくは１〜５ｍｍが良い。周囲の温度にもよるが、水滴が効率よく生成されるためである。尚、霧雨のような細かい雨滴の場合は、０．１〜０．５ｍｍの径の貫通孔が用いられる。貫通孔間の間隙は０．１ｍｍ〜５ｍｍに形成される。
滴下部としては、針状に形成されたものが用いられる。滴下部は基部から長手方向の先端に亘って同一太さに形成されたものでも良いし、先端に向かって細くなるものでも良いが、先端に向かって細くなるものが好ましい。滴下部に付着した結露が滴下され易くなるからである。貫通孔や滴下部のピッチを小さくすることで雨滴の間隔を小さくすることができ、実際の降雨の状態に近付けて再現できる。
滴下部の長さとしては、５ｍｍ〜１０００ｍｍの長さが用いられる。また、その径としては、０．１ｍｍ〜５ｍｍの径が用いられる。材質としては、ステンレス等の金属製やポリエチレン等の合成樹脂製の材質が用いられる。滴下部の間隔は、目標とする雨滴径よりも大きく形成される。目標とする雨滴径よりも小さいと雨滴同士が合体して大粒になるので好ましくない。また、雹や大粒の雨を降らすときは滴下部の間隔を狭め雨滴を合体させると良い。
噴霧装置としては、気液（特に水と空気）とが任意の割合で混合された霧状の流体を噴霧するものが用いられる。遠心噴霧式、超音波噴霧式等の霧吹きや加湿器が好適に用いられる。霧状の流体としては、過飽和状態の水蒸気や霧状の水滴が好適である。結露を生じ易くするためである。
噴霧装置は、噴霧量に応じて、過飽和室の前記流体の密度差が生じないように１か所以上に配置される。
【０００９】
請求項２記載の発明は、請求項１記載の降雨装置であって、前記霧状の流体が噴霧される過飽和室の上部および側部を閉塞する上面および側面を有すると共に、下部が開放された筐体を備え、前記結露部は、前記筐体の下部に配設される構成を有している。
この構成により、請求項１で得られる作用に加え、以下のような作用が得られる。
（１）下部が開放された筐体により筐体内の霧状の流体の拡散を安定にできる。その結果、結露部に結露を均等に生じさせることができると共に、生じる結露の量を精度良く調整できる。
【００１０】
ここで、筐体としては、上面および側面が平面の角柱状、上面が平面で側面が曲面の円筒状、上面および側面が曲面のドーム状など、いずれの形状も採用することが可能である。
【００１１】
請求項３記載の発明は、請求項１又は２に記載の降雨装置であって、前記結露部は、網目状又は格子状に形成された構成を有している。
この構成により、請求項１又は２で得られる作用に加え、以下のような作用が得られる。
（１）結露部を網目状に形成することにより、結露部の面積に対する網目（貫通孔）の面積の割合を大きくすることができる。その結果、結露部に生じた結露は貫通孔を通過して滴下部に付着され易く、雨滴が容易に生成される。
（２）結露部を網目状や格子状に形成することにより結露部を軽量化することができ、ひいては降雨装置を軽量化できる。
【００１２】
ここで、網目状等の結露部としては、網目が連続して形成されていれば良く、網目構造は、２次元的に網目が連なった２次元網目構造、３次元的に網目が連なった３次元網目構造のいずれでも良い。網目等の形状も特に制限がなく、方形状、矩形状、６角形状等を適宜選択できる。例えば、市販されている猫よけマット〔キャットカットもしくはトゲネット〕等を使用することもできる。
【００１３】
請求項４記載の発明は、請求項１乃至３のいずれか１に記載の降雨装置であって、前記滴下部は、前記結露部の網目や格子の節部から垂設される構成を有している。
この構成により、請求項１乃至３のいずれか１で得られる作用に加え、以下のような作用が得られる。
（１）節部には複数の網目が集合しているので、結露部に生じた結露は節部に集められる。これにより、滴下部に結露を集め雨滴を効率良く作ることができる。
【００１４】
請求項５記載の発明は、請求項１乃至４の内いずれか１に記載の降雨装置であって、前記結露部の温度を調節する温度調節装置を備えた構成を有している。
この構成により、請求項１乃至４の内いずれか１で得られる作用に加え、以下のような作用が得られる。
（１）温度調節装置により結露部の温度を調整し、結露部の温度と霧状の流体の温度とに所定の温度差を作ることができる。その温度差により結露部に生じる結露の粒径を調節することができるので、雨滴粒径の調節機能を向上させることができる。
なお、温度調節装置としては、結露部の電気抵抗を利用して結露部の温度を直接的に調節するもの、結露部に接触して結露部の温度を調節するもの、空間を介して結露部の温度を調節するもの等いずれも用いることが可能である。
【００１５】
請求項６記載の発明は、請求項１乃至５の内いずれか１に記載の降雨装置であって、前記結露部の下部に配設された緩衝部材を備えた構成を有している。
この構成により、請求項１乃至５の内いずれか１で得られる作用に加え、以下のような作用が得られる。
（１）対象物の上方に配設された緩衝部材により、緩衝部材間の空隙を通過させた雨滴を対象物に降らせることにより、雨滴を分散させて自然の降雨に近づけることができる。
【００１６】
ここで、緩衝部材としては、砕石、砂利、煉瓦屑、ガラス屑、貝殻屑、陶器屑、合成樹脂製の玉状物等の対象物に敷設又は籠等に収納されて結露部に吊設されることによって粒子間に連続した空隙が形成される部材を用いることができる。また、メッシュ（網体）、不織布等のように連続した空隙が形成されたシート状の部材を用いることもできる。これらのシート状の部材を複数枚重ねて用いることも可能である。
【発明の効果】
【００１７】
請求項１記載の発明によれば、以下のような効果を有する。
（１）噴霧された霧状の流体中の水分を滴下された雨滴が吸収することを防止でき、結露部に生じる結露の量を調整することにより滴下部に生じる雨滴の量や粒径を調整し、対象物に対する降雨量や雨滴粒径を精度良く調整できる降雨装置を提供できる。
（２）霧状の流体の供給量や気液の混合比率を調整することで、連続して降り続く通常の降雨程度から豪雨までの様々な降雨量を容易に再現できる降雨装置を提供できる。
【００１８】
請求項２記載の発明によれば、請求項１の効果に加え、
（１）筐体で霧状の流体の雰囲気を安定にできるので、結露部に結露を均等に生じさせることができると共に、生じる結露の量を精度良く調整できる降雨装置を提供できる。
【００１９】
請求項３記載の発明によれば、請求項１又は２の効果に加え、
（１）結露部に生じた結露が貫通孔（網目）を通過して滴下部に付着され易く、雨滴が容易に生成される降雨装置を提供できる。
（２）結露部を軽量化することができ、軽量の降雨装置を提供できる。
【００２０】
請求項４記載の発明によれば、請求項３の効果に加え、
（１）結露部に生じた結露は節部に集まり易いため、滴下部に結露を集め雨滴を効率良く作ることができる降雨装置を提供できる。
【００２１】
請求項５記載の発明によれば、請求項１乃至４の内いずれか１の効果に加え、
（１）温度調節装置により結露部の温度を調整し、結露部の温度と霧状の流体の温度との温度差を調整することにより結露部に生じる結露の粒径を調節できるので、雨滴粒径の調節機能を向上できる降雨装置を提供できる。
【００２２】
請求項６記載の発明によれば、請求項１乃至５の内いずれか１の効果に加え、
（１）緩衝部材により空隙を通過した雨滴を対象物に降下させることができ、雨滴を分散させて雨滴の固定化を防止できる降雨装置を提供できる。
【図面の簡単な説明】
【００２３】
【図１】実施の形態１における降雨装置を模式的に示す模式図である。
【図２】結露部の要部を拡大して模式的に示す模式図である。
【図３】実施の形態２における降雨装置を模式的に示す模式図である。
【図４】結露部の要部を拡大して模式的に示す模式図である。
【発明を実施するための形態】
【００２４】
（実施の形態１）
以下、本発明の実施の形態１における降雨装置１について、図面を参照しながら説明する。図１は実施の形態１における降雨装置１を模式的に示す模式図である。
図１において、１は土槽１００に覆設された降雨装置、１０１は土槽１００に収容された土壌等の対象物、１０２は対象物１０１の上面に敷設された緩衝部材である。緩衝部材１０２は、砕石、砂利、煉瓦屑、ガラス屑、貝殻屑、陶器屑等の粒子で構成され、対象物１０１に敷設されることによって粒子間に空隙が形成されている。
本実施の形態では粒径が５〜１０ｍｍの豆砂利を層厚５０ｍｍに均して用いた。
【００２５】
２は土槽１００に覆設されると共に、上部および側部が上面および側面で閉塞され下部が開放された角柱状の筐体、３は水が貯留された給水タンク、４は給水タンク３の下部に連設する給水管、５は給水管４から供給された水を空気と混合して霧状の流体を作り、筐体２の側面に貫設された噴霧管６から筐体２内に噴霧する加湿器からなる噴霧装置、７は開放された筐体２の下部に対象物１０１と対向して配設された合成樹脂製のメッシュ体で形成された面状の結露部、８は結露部７の下面から下方（対象物１０１の方向）に向かって垂設された長さ２０ｍｍの針状の滴下部である。本実施の形態においては、結露部７は網目状に形成され、節部に針状突起が一体に形成された市販の「猫よけマット」を使用した。また、結露部７は筐体２の下部の内側に支持部材（図示せず）により脱着自在に支持されている。
【００２６】
次に、図２を参照して、結露部７及び滴下部８について詳述する。図２は結露部７の要部を拡大して模式的に示す模式図である。
図２において、７ａは網目状の結露部７の網目が集合する節部であり、節部７ａから針状の形成された滴下部８が垂設されている。７ｂは結露部７の上面から下面に亘って貫通形成された貫通孔である。
【００２７】
以上のように構成された実施の形態１における降雨装置１では、給水タンク３に貯留された水を、給水管４を通して噴霧装置５に供給する。噴霧装置５では供給された水を空気と混合して霧状の流体を作り、噴霧管６から筐体２内に噴霧する。筐体２内は上部および側部が閉塞されているので、過飽和状態の水蒸気雰囲気となる。筐体２は下部が開放され、そこに網目状の結露部７が配設されているので、結露部７と接触した水蒸気は結露を生じ、結露は貫通孔７ｂを通して滴下部８に付着する。滴下部８に付着した結露は、重力により対象物１０１に向かって落下し雨滴となる。雨滴は、まず緩衝部材１０２に衝突して分散され、緩衝部材１０２に形成された空隙を流下して対象物１０１に雨滴（水滴）として注がれる。
【００２８】
以上のように構成された実施の形態１における降雨装置１によれば、以下の作用が得られる。
（１）噴霧装置５により霧状の流体が結露部７の上方に噴霧されると、結露部７に結露が生じる。結露部７に発生した結露は貫通孔７ｂを通って結露部７の下面に流下する。結露部７の下面に流下した結露水は、結露部７の下面から下方に向かって垂設された滴下部８を伝って滴下され、雨滴が生ずる。霧状の流体が噴霧されるのは結露部７の上方であり、その反対側の下面に雨滴が生じるので、滴下部８から滴下された雨滴が、噴霧された霧状の流体中の水分を吸収することを防止できる。その結果、滴下部８に生じる雨滴の量や粒径を調整することで、対象物１０１に対する降雨量や雨滴粒径を調整できる。結露部７に生じる結露の量を調整することにより滴下部８に生じる雨滴の量や粒径を調整できるので、対象物１０１に対する降雨量や雨滴粒径を精度良く調整できる。
（２）結露部７に生じた結露が滴下部８を伝って雨滴が生じ、その雨滴の量（降雨量）は、噴霧装置５が噴霧する霧状の流体の供給量や気液の混合比率を調整することにより調整される。霧状の流体の供給量や気液の混合比率を調整することで、霧雨や連続して降り続く通常の降雨程度から豪雨までの様々な降雨量を容易に再現できる。
【００２９】
（３）下部が開放された筐体２により筐体２内の霧状の流体の雰囲気を安定にできる。その結果、結露部７に結露を均等に生じさせることができると共に、生じる結露の量を精度良く調整できる。
（４）結露部７を網目状に形成することにより、結露部７の面積に対する網目（貫通孔７ｂ）の面積の割合を大きくすることができる。その結果、結露部７に生じた結露は貫通孔７ｂを通過して滴下部８に付着され易く、雨滴が容易に生成される。
（５）結露部７を網目状に形成することにより結露部７を軽量化することができ、ひいては降雨装置１を軽量化できる。
（６）結露部７を網目状に形成することにより、結露部７の面積に対する網目（貫通孔７ｂ）の面積の割合を大きくすることができる。その結果、網目（貫通孔７ｂ）が目詰まりし難く、滴下部８の全体から降雨を均等に生じさせることができる。
【００３０】
（７）節部７ａには複数の網目が集合しているので、結露部７に生じた結露は節部７ａに集められる。その節部７ａから滴下部８が垂設されているので、滴下部８に結露を集め雨滴を効率良く作ることができる。
（８）対象物１０１の上方に配設される緩衝部材１０２の空隙を通過した雨滴を対象物１０１に流下させることができ、雨滴を分散させて大粒化するのを防止できる。
【００３１】
（実施の形態２）
次に、図３を参照しながら、実施の形態２について説明する。図３は実施の形態２における降雨装置１１を模式的に示す模式図である。なお、図面を簡略化するため、実施の形態１で説明した土槽１００、対象物１０１、緩衝部材１０２の図示は省略する。また、実施の形態１と同一の部分は、同じ符号を付して説明を省略する。
図３において、１１は実施の形態２における降雨装置、１２は温度調節を行う温度調節装置、１３は温度調節装置１２により温度が調節される伝熱部である。伝熱部１３は結露部１７に接触しているので、伝熱部１３の温度が調節されることにより、伝熱部１３及び結露部１７の熱伝導により結露部１７の温度が調節される。１７は開放された筐体２の下部に支持部材（図示せず）により配設された面状の結露部で、温度調節装置１２が備えられる場合には、熱伝導の点から金属製が望ましい。１７ｃは結露部１７の上面の複数箇所に立設された針状の結露補助部、１８は結露部１７の下面から垂設された針状の滴下部である。本実施の形態においては、結露部１７は網目状に形成されている。
【００３２】
次に、図４を参照して、結露部１７及び滴下部１８について詳述する。図４は結露部１７の要部を拡大して模式的に示す模式図である。
図４において、１７ａは網目状の結露部１７の網目が集合する節部であり、節部１７ａから上方（図４上向き）に結露補助部１７ｃが立設されると共に、節部１７ａから下方（図４下向き）に滴下部１８が垂設されている。１７ｂは結露部１７の上面から下面に亘って貫通形成された貫通孔である。
【００３３】
以上のように構成された実施の形態２における降雨装置１１によれば、実施の形態１で得られる作用に加え、以下の作用が得られる。
（１）温度調節装置１２により伝熱部１３の温度が調整され、それに伴い結露部１７の温度が調整される。その結果、結露部１７の温度と霧状の流体の温度とに所定の温度差を作ることができる。その温度差により結露部１７に生じる結露の粒径を調節することができるので、雨滴粒径の調節機能を向上させることができる。
（２）結露部１７の上面に立設された結露補助部１７ｃにより、霧状の流体が接触して結露が生じる表面積を広げられるので、霧状の流体から結露を効率よく生じさせることができる。
（３）節部１７ａから上方に向かって結露補助部１７ｃが立設され、節部１７ａから下方に向かって滴下部１８が垂設されているので、結露補助部１７ｃに生じた結露を滴下部１８から滴下され易くできる。
【実施例】
【００３４】
以下、本発明を実施例により具体的に説明する。なお、本発明はこれらに実施例に限定されるものではない。なお、以下の実施例は、実施の形態１における降雨装置を適用したものである。
噴霧装置として、市販の加湿器を２台用いて降雨装置を得た。なお、用いた加湿器の１台あたりの能力は、１０００ｍＬ程度の水を５〜６時間かけて噴霧できるものであった。加湿器（噴霧装置）から筐体内に水を噴霧することで、結露部に結露を生じさせて降雨を得た。加湿器（噴霧装置）を１日に連続して１４時間作動させることにより、対象物１ｍ２あたり約５〜８ｍｍ／日の降雨が得られた。これは通常の降雨の状態を再現できたことに
なる。
【００３５】
ここで、対象物１ｍ2あたり約５ｍｍ／日の降雨量を換算すると５Ｌ／日、即ち３．５ｍＬ／分である。これは小さなマイクロポンプレベルの流量である。細管を用いて水を雨滴として吐出させようとしても、３．５ｍＬ／分の流量は小さすぎて吐出させることができない。
一般に、細管から吐出される雨滴の最少量は細管１本あたり５００ｍＬ／日程度である。
１ｍ２の面内に細管を５ｃｍピッチで配列すると４００本の細管が並ぶことになり、細管から吐出される雨滴の最少量を考慮すると、降雨量は５Ｌ／日を大きく超える。このように対象物１ｍ2あたり約５ｍｍ／日の降雨量（通常の降雨）を再現することは困難であった。
このように従来は、少ない雨量の雨を連続的に何時間も降らすことはできなかったので、例えば５Ｌ／日の雨量を実現するため、毎日１０分間だけ対象物にシャワー状に５Ｌ分の水滴を対象物にかけて、間歇的に降らせていた。
これに対し本発明によれば、上述のような極めて簡易な構成によって、対象物１ｍ２あたり約５ｍｍ／日の降雨量を実現できた。さらに噴霧能力の大きな噴霧装置を用いたり噴霧装置の台数を増やしたりすることで、降雨量を増やすことができ豪雨も再現できる。
少量の降雨の再現が可能であり、また、加湿器の数量、加湿能力、時間を調整すれば豪雨相当の数十ｍｍの降雨も十分可能である。
雨滴の分布の均一性が極めて高い。
降雨量が安定している。
加湿器や網体等は既成のものを使用できるので従来の降雨装置に比べ、４分の１以下の原価で製造できる。
緩和層は特に必要ないが、この層を設けることによって、土壌に対しては自然降雨とほぼ同様の現象が再現できる。また、空間への降雨の場合は、針状目メッシュよりさらに小さいメッシュ状のシートを挿入することで、雨滴の数量をさらに密にすることができる。
また、この層を設けることで雨滴の落下による土壌面の雨滴穴の発生を防ぐことができる。
【００３６】
以上、実施の形態に基づき本発明を説明したが、本発明は上記実施の形態に何ら限定されるものではない。
上記実施の形態では、滴下部８，１８から重力による自然滴下により雨滴が滴下される場合について説明したが、必ずしもこれに限られるものではなく、結露部７，１７を加振させることによって滴下させることも可能である。結露部７，１７の加振は、例えば、水平加振、垂直加振、軸加振、バイブレータ加振等が挙げられる。水平加振は、結露部７，１７を水平方向に往復移動させるものである。垂直加振は、結露部７，１７を鉛直方向に往復移動させるものである。軸加振は、中心に回転軸を設けた結露部７，１７を回転軸を中心に回動させて往復移動させるものである。バイブレータ加振は、結露部７，１７にバイブレータの振動を与えるものである。結露部７，１７を加振させることにより、重力で自然滴下する雨滴粒径より小さな粒径の雨滴を得ることができる。
上記実施の形態では説明を省略したが、滴下部８，１８の下方にブロアを設け、降雨に対して当てるブロアからの風速を変化させることにより、対象物１０１に対する降雨角度を可変にすることも可能である。
【００３７】
上記実施の形態では、緩衝部材１０２として砂利等の粒子を敷設した場合について説明したが、必ずしもこれに限られるものではなく、不織布やメッシュ等の連続する空隙が形成された部材を設けることも可能である。
上記実施の形態では、温度調節装置１２が伝熱部１３からの熱伝導により結露部７，１７の温度を調整する場合について説明したが、必ずしもこれに限られるものではない。温度調節装置１２から冷風や温風が発生されるようにして、温度調節装置１２から発生される冷風や温風で結露部７，１７の温度を調整することも可能である。この場合は、伝熱部１３からの熱伝導により結露部７，１７の温度を調整する場合と比べて、結露部７，１７の温度をムラなく調整できるため、雨滴粒径の調整精度をさらに向上できる。
上記実施の形態では説明を省略したが、給水タンク３に貯留される水のｐＨを調整することで、降雨のｐＨを調整することも可能である。
【産業上の利用可能性】
【００３８】
本発明は、人為的に降雨を再現する降雨装置に関し、様々な降雨量を再現できると共に、対象物に対する降雨量や雨滴粒径を精度良く調整できる降雨装置を提供できる。
【符号の説明】
【００３９】
１，１１      降雨装置
２            筐体
３            給水タンク
４            給水管
５            噴霧装置
６            噴霧管
７，１７      結露部
７ａ，１７ａ  節部
７ｂ，１７ｂ  貫通孔
１７ｃ        結露補助部
８，１８      滴下部
１２          温度調節装置
１３          伝熱部
１００        土槽
１０１        対象物
１０２        緩衝部材
【図１】
0005522631.tif 000002
【図２】
0005522631.tif 000003
【図３】
0005522631.tif 000004
【図４】
0005522631.tif 000005